(57)【要約】【課題】はがき内包帳票をロール紙を使用して製造し、１８インチ以上の幅の巻折り帳票を提供する。また、はがきに隣接する帳票片に記載情報保護シール部を形成し、境界の折畳部で折り畳むことで、送信情報を確実に保護してはがきとし、送付できるはがき内包帳票を提供する。【解決手段】はがきを含む複数の帳票紙片が折畳部で連接された第一のシートと、第一のシートと同一の高さを有し、第一のシートの幅方向の紙端の折り返し部で第一のシートに重ね合わさるように接合された第二のシートからなるはがき内包帳票であって、前記第一のシートの前記はがきと隣り合わせた帳票紙片のはがき送信情報記載面側には擬似接着構造部を介して透明な基紙からなる粘着紙が剥離紙を表出する状態で貼付されたはがき内包帳票を提供する。【選択図】  図１
2009274337.tif 000002
【特許請求の範囲】
【請求項１】
はがきを含む複数の帳票紙片が折畳部で連接された第一のシートと、
第一のシートと同一の高さを有し、第一のシートの幅方向の紙端の折り返し部で第一のシートに重ね合わさるように接合された第二のシートからなるはがき内包帳票であって、
前記第一のシートの前記はがきと隣り合わせた帳票紙片のはがき送信情報記載面側には擬似接着構造部を介して透明な基紙からなる粘着紙が剥離紙を表出する状態で貼付されたことを特徴とするはがき内包帳票。
【請求項２】
請求項１に記載のはがき内包帳票において、
第一のシートと第二のシートには同質の紙が使用されたことを特徴とするはがき内包帳票。
【請求項３】
請求項１，２何れかに記載のはがき内包帳票において、
擬似接着構造部のはがきに近い端縁部は、強接着構造になっていることを特徴とするはがき内包帳票。
【請求項４】
請求項１〜３に記載されたはがき内包帳票の使用方法であって、
はがき内包帳票は、第一のシートと第二のシートが重ね合わされた状態で、第一のシートの連接部で巻折り状に折り畳まれて提供される段階と、
巻折り状のはがき内包帳票が展開される段階と、はがきに送信情報が記載される段階と、はがきに隣接する帳票紙片の粘着紙の剥離紙が剥ぎ取られる段階と、前記はがきと前記帳票紙片の連接部で折り畳まれ送信情報が粘着紙の粘着剤を介して前記帳票紙片によって被覆される段階と、はがき内包帳票からはがきが切り取られて送付される段階と、擬似接着構造部ではがきから前記帳票紙片が剥ぎ取られる段階と、送信情報が読み取られる段階を含む段階からなることを特徴とするはがき内包帳票の使用方法。
【発明の詳細な説明】
【技術分野】
【０００１】
本発明は、はがきに記載した送信情報を確実に保護して郵送することができる広幅のはがき内包帳票及びその使用方法に関する。
【背景技術】
【０００２】
現状、例えば、幅が４５ｃｍ（約１８インチ）以上の広幅帳票を製造する場合、ロール紙では製造設備が入手できないため、平判の用紙を使用して製造する。
また、はがきが綴じられている申込書などの帳票には、記載した送信情報を覗き見から護るために記載情報保護シールが剥離可能再貼付可能な状態で申込書に貼付されている。
前述の平判の用紙を使用して製造された巻折り仕様の申込書などに前述の記載情報保護シールを貼付する場合は、申込書ができあがった状態で、申込書の表出面に記載情報保護シールを貼付しているために、帳票のコストが高くなるという課題があった。
【０００３】
そこで、少量から大量まで任意の量の情報を隠蔽して送りとどけることができ、メールフォームとしての製造加工が容易でコストが安く、宛て名と返信用はがきの差出人、申込欄に申込人の住所、氏名等を一度に出力印字することで、申込人は必要最低限の事項を記入するだけで直ぐ投函でき、また、開封は容易で、ゴミの発生がなく、開封すると印刷情報が枚葉紙と同じような状態で一覧できるはがき内封型折り重ねフォームが提供されている。
【０００４】
【特許文献１】特開平７−２６６７５３号公報
【発明の開示】
【発明が解決しようとする課題】
【０００５】
特許文献１に記載されている内容によれば、複数の帳票片が折りミシン目を介して連接され、該折りミシン目で交互に反対方向に折り返されて加圧、剥離可能に粘着されて封止されるメールフォームにおいて、該折りミシン目で折り返されて対向する所定の２枚の帳票片のそれぞれに該折りミシン目に対して対象形になる位置に、はがきサイズの切り取り部が設けられ、該切り取り部の対向する両面は剥離不能に粘着されることを特徴とするとしている。
しかしながら、特許文献１に記載されているはがき内封型折り重ねフォームは、ジグザグ仕様で製造するため、巻折りで供給できるものではない。
そこで、本発明では、１８インチ以上の幅の巻折り帳票をロール紙を使用して作製し、はがきに隣接する帳票片に記載情報保護シール部を形成し、境界の折畳部で折り畳むことで、送信情報を確実に保護してはがきとし、送付できるはがき内包帳票及びその使用方法を提供することを目的とするものである。
【課題を解決するための手段】
【０００６】
前記課題の目的を達成するために、本発明のはがき内包帳票の第一の態様は、はがきを含む複数の帳票紙片が折畳部で連接された第一のシートと、第一のシートと同一の高さを有し、第一のシートの幅方向の紙端の折り返し部で第一のシートに重ね合わさるように接合された第二のシートからなるはがき内包帳票であって、前記第一のシートの前記はがきと隣り合わせた帳票紙片のはがき送信情報記載面側には擬似接着構造部を介して透明な基紙からなる粘着紙が剥離紙を表出する状態で貼付されたことを特徴とするものである。
【０００７】
また、第二の態様は、第一の態様において、第一のシートと第二のシートには同質の紙が使用されたことを特徴とするものである。
【０００８】
また、第三の態様は、第一，第二何れかの態様において、擬似接着構造部のはがきに近い端縁部は、強接着構造になっていることを特徴とするものである。
【０００９】
また、第四の態様は、第一〜第三何れかの態様のはがき内包帳票の使用方法であって、はがき内包帳票は、第一のシートと第二のシートが重ね合わされた状態で、第一のシートの連接部で巻折り状に折り畳まれて提供される段階と、巻折り状のはがき内包帳票が展開される段階と、はがきに送信情報が記載される段階と、はがきに隣接する帳票紙片の粘着紙の剥離紙が剥ぎ取られる段階と、前記はがきと前記帳票紙片の連接部で折り畳まれ送信情報が粘着紙の粘着剤を介して前記帳票紙片によって被覆される段階と、はがき内包帳票からはがきが切り取られて送付される段階と、擬似接着構造部ではがきから前記帳票紙片が剥ぎ取られる段階と、送信情報が読み取られる段階と、を含む段階からなることを特徴とするものである。
【発明の効果】
【００１０】
１）第一の態様のように、はがきを含む複数の帳票紙片が折畳部で連接された第一のシートと、第一のシートと同一の高さを有し、第一のシートの幅方向の紙端の折り返し部で第一のシートに重ね合わさるように接合された第二のシートからなるはがき内包帳票であって、前記第一のシートの前記はがきと隣り合わせた帳票紙片のはがき送信情報記載面側には擬似接着構造部を介して透明な基紙からなる粘着紙が剥離紙を表出する状態で貼付されたことによって、１８インチ以上の幅を有するはがき内包帳票を製造することが可能となり、安価に送信情報保護シール部付き申込書を製造することができる。
また、粘着紙貼付帳票紙片を折畳部ではがき面側に折り畳むことにより、情報を記載した部分に粘着剤が形成された帳票紙片による送信情報保護シール部を正確に貼り付けることが出きる。
しかも、はがきを受け取った側は、擬似接着構造部から送信情報保護シール部を剥がして透明基紙を介して記載された送信情報を明確に読み取ることができる。
また、ロール仕様で作製可能なため、個人情報などの印字（プリント）が必要な場合も、容易に対応できる。
また、はがき内包帳票は、巻折り形態になっているために、または、巻折り可能な形態になっているために容易に封筒に同封して送付することができる。
２）また、第二の態様のように、第一の態様において、第一のシートと第二のシートには同質の紙（少なくとも、種類と坪量は同一）を使用することによって、第一のシートと第二のシートの折り返し部で第二のシートを開いたときに、第二のシートと第一のシートが同一の一枚の紙で作製されたが如くに感じることができる。
３）また、第三の態様のように、第一，第二何れかの態様において、擬似接着構造部のはがきに近い端縁部は、強接着構造になっていることによって、送信情報保護シールをはがきに貼付する前に剥がれることを防止することができる。
【発明を実施するための最良の形態】
【００１１】
以下、図面を参照して本発明のはがき内包帳票及びその使用方法について詳細に説明する。
図１は、本発明のはがき内包帳票について説明するための図，図２は、図１のＡ−Ａ線断面図，図３は、第二のシートを展開した図，図４は、本発明のはがき内包帳票の使用方法について説明するための図，図５は、従来のはがき内包帳票について説明するための図，である。
【００１２】
図１を参照して、本発明のはがき内包帳票について説明する。
以下の説明では、本発明のはがき内包帳票について、第一のシートははがきを含む４つの帳票紙片で構成され、第二のシートは２つの帳票紙片で構成されるはがき内包帳票の例で説明するが、本発明のはがき内包帳票は、前述の構成に拘るものではない。
【００１３】
図１において、本発明のはがき内包帳票１０は、はがき帳票紙片（以下、はがきともいう。）１２を含む複数の帳票紙片１１，１３，１４が折畳部（以下、連接部ともいう。）７で連接された第一のシート（図示せず）と、第一のシートと同一の高さを有し、第一のシートの幅方向の紙端の折り返し部１４１で第一のシートに重ね合わさるように接合された第二のシート（図示しないが、帳票紙片３１，３２で構成されたシート）からなるはがき内包帳票である。
さらに、前記第一のシートには、前記はがき紙片１２と隣り合わせた帳票紙片１１のはがき送信情報記載面側（図の送信情報記載部１２０と同一面側）に、擬似接着構造部（図示せず）を介して透明な基紙（図示せず）からなる粘着紙２が、剥離紙（図示せず）を表出する状態で貼付されている。
【００１４】
はがき帳票紙片１２には、送信情報記載部１２０が設けてあり、はがきサイズで切り取ることができるようにミシン目状切込みによって切取り部１２１が形成されている。また、はがきに隣接する帳票紙片１１と粘着紙２には、帳票紙片１１と粘着紙２を貫通する切込み８が形成されている。
前述の切込み８は、はがきの送信情報記載部１２０に送信情報を記載した後、送信情報を保護するために、隣接する帳票紙片１１の粘着剤形成面を折り畳んで被覆するために形成される。
図では、送信情報記載部１２０が「はがきのおもて面」（図示しないが、宛先情報が印刷された面）と同一面になっているが、前述の「はがきのおもて面」は、帳票紙片１２の裏側（粘着紙２が貼付されている側の裏側）であってもよい。
【００１５】
本発明のはがき内包帳票１０では、前述の第一のシートと、第一のシートの延長上に接合された第二のシートは同質の紙、例えば、メーカー，種類，坪量共に同一の紙で構成されていることが好ましい。少なくとも、種類，坪量は、同一の紙で構成されていることが好ましい。
【００１６】
また、図示しないが、前述の帳票紙片１１のはがき送信情報記載面側に形成された擬似接着構造部（図示せず）のはがきに近い端縁部は、送信情報保護シールをはがきに貼付する前に剥がれることを防止するために、強接着構造になっている。
【００１７】
はがきは、郵便法によって短辺が９〜１０．７ｃｍに規制されており、その結果、第一のシートは約４０ｃｍの大きさになっている。
また、第二のシートは、図１に示す例では、約２０ｃｍになっており、前述の折り返し部１４１で展開したときに６０ｃｍの大きさの帳票になる。
第二のシートは、前述のように２つの紙片で構成されることに拘るものではないために、例えば、４つの紙片とすることも可能で、巻取り紙で第一のシート，第二のシートを作製し、丁合装置によって折り返し部で接合して帳票化するすることによって、幅３１インチ（約、８０ｃｍ）の広幅の帳票が提供可能になる。
【００１８】
第一のシート，第二のシートの何れか、または、両方のシートに個人情報を印字した後丁合し、巻き込み帳票とした場合、３１インチ幅のプリント帳票を提供することができる。
【００１９】
はがき帳票紙片１２の切取り部１２１で、はがきから切り離されるエリアには、はがきを送信する時のはがきの扱い方の説明が図入りで印刷される。
はがき内包帳票１０がカード入会申込書等の場合は、帳票紙片１１にカードの説明が印刷される。
さらに、第一のシートの帳票紙片１３，１４、および、第二のシートの帳票紙片３１，３２の同一面には会員規約の一部に関する内容が、裏側の面にはサービスの内容，会費や利用金額の支払方法等、について詳細に印刷される。
【００２０】
はがき内包帳票１０は、それぞれの連接部７で巻折にされて、矢印の右側に表示されているような帳票形態で使用される。また、このような形態とすることによって、封筒などに入れて便利に郵送することもできる。
【００２１】
図２を参照して、図１のＡ−Ａ線断面について説明する。
本発明のはがき内包帳票１０は、はがき帳票紙片１２を含む複数の帳票紙片１１，１３，１４が連接部７で連接された第一のシート１と、第一のシート１と同一の高さを有し、第一のシート１の幅方向の紙端の折り返し部１４１で第一のシートに重ね合わさるように接合された第二のシート３で構成されている。第二のシート３は、帳票紙片３１，３２が連接部７で連接されたシートになっている。
【００２２】
さらに、前記第一のシート１には、前記はがき紙片１２と隣り合わせた帳票紙片１１のはがき送信情報記載面側に、擬似接着構造部６を介して透明な基紙２３からなる粘着紙２が、剥離紙２１を表出する状態で貼付されている。
基紙２３と剥離紙２１の間には、剥離可能再貼付可能な接着剤（粘着剤）が略全面に形成されている。
また、帳票紙片１１の前記擬似接着構造部６のはがきに近い端縁部には、粘着剤が形成された帳票紙片１１による送信情報保護シール部がはがきに貼付される前に剥がれることを防止するために、強接着部５が形成されている。
【００２３】
図示しないが、はがき帳票紙片１２の、前記帳票紙片１１の粘着紙２が形成された側には送信情報記載部が設けてあり、はがきサイズで切り取ることができるようにミシン目状の切込みによって切取り部が形成されている。
また、帳票紙片１１と粘着紙２には、帳票紙片１１と粘着紙２を貫通する切込みが形成されている。
前述の切込みは、はがきの送信情報記載部に送信情報が記載された後、送信情報を保護するために、隣接する帳票紙片１１の粘着剤２２が形成された面を折り畳んで容易に、しかし、正確に送信情報記載部を被覆するために形成される。
【００２４】
図２の一部と、図３を参照して第二のシートを展開した状態について説明する。
本発明の、はがき内包帳票１０は、はがき帳票紙片１２を含む複数の帳票紙片１１，１３，１４が連接部７で連接された第一のシート１と、第一のシート１の幅方向の紙端の折り返し部１４１で接合された第二のシート３で構成されている。
図２で判るように第一のシート１の端部は、折り返された状態で第二のシートと接合部４で平面的に接合されている。そして、折り返された接合部を展開すると、図３に示すように、第一のシートの延長上に第二のシートが小さな段差で貼り合わされた状態になる。第一のシート１と第二のシート３を同質の紙で構成する場合は、図３に示すように第二のシート３を展開した状態で第一のシート１と紙の表裏が一致するように貼り合わせる。
【００２５】
図でわかるように、第一のシート，第二のシートそれぞれに個人情報を印字すれば、はがきを内包した３１インチ（約、８０ｃｍ）幅のプリント帳票を提供することができる。
【００２６】
図４を参照して、本発明のはがき内包帳票の使用方法について説明する。
図示しないが、先ず、図１で説明したように、はがき内包帳票は、第一のシートと第二のシートが作製される段階と、丁合装置で重ね合わされて接合される段階を経て、第一のシートの連接部で巻折り状に折り畳まれて提供される。
はがき内包帳票が使用される段階で、ａ図に示すように、先ず、巻折り状のはがき内包帳票が展開される。
ａ図に示す状態で、はがき帳票紙片１２のはがきに送信情報が記載される。
次に、ｂ図に示すように、はがきに隣接する帳票紙片１１の粘着紙の剥離紙２１が剥ぎ取られる。
次に、ｃ図に示すように、はがき１２と帳票紙片１１の連接部７で折り畳まれ、記載された送信情報（図示せず）面と粘着紙の粘着剤２２面が貼り合わされて、はがきの送信情報が、帳票紙片１１によって被覆される。はがき帳票紙片１２が隣接する帳票紙片から折畳部７で切り離される。さらに、はがき帳票紙片１２からはがき以外の部分が切り取られ、はがきが送付される。
ｄ図に示すように、はがきを受け取った側は、擬似接着構造部６で、はがき１２から帳票紙片１１を剥ぎ取る。
帳票紙片１１が剥ぎ取られた状態で、擬似接着構造部６，透明な基紙２３，粘着剤２２を介して帳票紙片１２に記載された送信情報（図示せず）が読み取られる。
【００２７】
図５を参照して、従来のはがき内包帳票について説明する。
従来のはがき内包帳票１００は、４つの帳票紙片１１００，１２００，１３００，１４００が折畳部７０で連接されている。図５に示す例では、はがきが、はがき内包帳票１００の一方の紙端に配置されている。
中央の帳票紙片１３００には、はがきに記載された個人情報を被覆するための送信情報保護シール（個人情報保護シールともいう。）９が剥離可能再貼付可能に貼付されている。
申込者は、図に示すはがき１２００の送信情報記載部に送信情報を記載し、送信情報記載面に個人情報保護シール９を貼付してはがきとして送付する。
【００２８】
（材料）
図２を参照して、本発明のはがき内包帳票に使用される材料の一例について説明する。
但し、下記に限定するものではない。
はがき内包帳票１の第一のシート（帳票紙片１１，１３，１４、及び、はがき１２）及び第二のシート（帳票紙片３１，３２）に使用される材料として、例えば、上質紙，中質紙，下級紙，色上質紙等の非塗工紙、アート紙，コート紙，軽量コート紙等の塗工紙、エンボス紙，キャストコート紙，クラフト紙等から適宜選択して使用する。
紙の坪量は、第一のシート１から切り取ったはがき（はがき及び帳票紙片１１の送信情報保護シール部）と粘着紙基紙及び粘着剤を合せて６ｇ以内になるよう１２８〜１５７ｇ／ｍ2の紙の中から選択する。
【００２９】
また、粘着紙２は、例えば、グラシン紙を粘着紙基紙として使用したものや、透明プラスチックを粘着紙基紙として使用した市販のものを使用する。
【００３０】
接合部４や強接着部５に使用される接着剤は、例えば、アクリル系樹脂，ビニル系樹脂，ポリエステル系樹脂，ウレタン系樹脂，アミド系樹脂，エポキシ系樹脂，ゴム系樹脂，アイオノマー系樹脂等の、公知の接着剤の中から選択して使用する。
また、擬似接着構造部６に使用される接着剤として、熱可塑性樹脂による接着剤層と剥離層からなる構造、オレフィン樹脂／非オレフィン樹脂を共押し出しされて積層された構造、親展はがきで使用されるゴム系接着主剤中に微粒子を添加した擬似接着剤が片面ないし両面に設けられた構造等、の公知の擬似接着構造を利用する。
前述の、擬似接着構造部６に使用される接着剤や、粘着紙に使用される粘着剤は透明性を有するものを選択する。
また、図示しないが、はがき内包帳票の印刷に使用するインキは、市販の紫外線硬化型のオフセットインキを使用する。
【産業上の利用可能性】
【００３１】
各分野で利用されているはがき内包帳票に利用できる。
【図面の簡単な説明】
【００３２】
【図１】本発明のはがき内包帳票について説明するための図である。
【図２】図１のＡ−Ａ線断面図である。
【図３】第二のシートを展開した図である。
【図４】本発明のはがき内包帳票の使用方法について説明するための図である。
【図５】従来のはがき内包帳票について説明するための図である。
【符号の説明】
【００３３】
１      第一のシート
２      粘着紙
３      第二のシート
４      接合部
５      強接着部
６      擬似接着構造部
７，７０  折畳部，連接部
８      切り込み
９      送信情報保護シール
１０，１００  はがき内包帳票
１１，１３、１４，３１，３２，１１００，１３００，１４００  帳票紙片
１２，１２００  はがき，はがき帳票紙片
１２０  送信情報記載部
１２１  切取り部
１４１  接合部，折り返し部
２１    剥離紙
２２    粘着剤
２３    基紙
【図１】
2009274337.tif 000003
【図２】
2009274337.tif 000004
【図３】
2009274337.tif 000005
【図４】
2009274337.tif 000006
【図５】
2009274337.tif 000007